(57)【要約】廃水処理工程の方法及び装置が提供される。１つの例示的実施形態では、流入廃水及び規定の量の処理済み廃水が第１の時間間隔において混合され、前処理水を生成する。前処理水は第２の時間間隔において固体媒体及び液体媒体の分離を発生させるように調剤された、選択的な化学添加剤で調合され、分離された水を生成する。残っている固体媒体はスラッジフィルタを用いて分離された水から除去され、処理済み廃水を生成する。
2020516438.tif 000002
【特許請求の範囲】
【請求項１】
前処理添加材保持タンクから規定の量の処理済み廃水を回収する工程と、
第１の時間間隔の間、第１の処理タンクにおいて、前処理水を生成するように、流入廃水と前記規定の量の処理済み廃水とを混合する工程と、
第２の時間間隔の間、第２の処理タンクにおいて、固体媒体及び液体媒体の分離を引き起こすように調剤された選択的な化学添加剤を前記前処理水に添加することによって、分離された水を生成する工程と、
前記分離された水に含まれる固体媒体をフィルタで実質的に除去して、処理済み廃水を生成する工程と、を含むことを特徴とする廃水処理方法。
【請求項２】
前記フィルタからの前記処理済み廃水で前記前処理添加材保持タンクを再充填する工程をさらに含むことを特徴とする請求項１に記載の廃水処理方法。
【請求項３】
前記選択的な化学添加剤は、前記固体媒体の凝固または浮遊を促進することによって、固体媒体と液体媒体の分離を引き起こすことを特徴とする請求項１に記載の廃水処理方法。
【請求項４】
前記スラッジフィルタで固体媒体を除去する前に、第３のタンクにおいて第３の時間間隔で気泡浮上分離法によって前記分離された水を処理する工程をさらに含むことを特徴とする請求項１に記載の廃水処理方法。
【請求項５】
前記規定の量の処理済み廃水は、流入廃水及び処理済み廃水を混合した量の５から１０パーセントの範囲であることを特徴とする請求項１に記載の廃水処理方法。
【請求項６】
前記第２または第３の処理タンクの一方から浮遊スラッジを回収する工程と、
前記浮遊スラッジから処理済み廃水を抽出する工程と、を含み、前記第１の処理タンクで流入廃水と混合された前記処理済み廃水の一部は、前記浮遊スラッジから抽出された処理済み廃水であることを特徴とする請求項１に記載の廃水処理方法。
【請求項７】
前記流入廃水は、外洋航行船の貯蔵タンクからポンプでくみ上げられ、前記水処理工程は浮遊式バージで実施されることを特徴とする請求項１に記載の廃水処理方法。
【請求項８】
前記バージは、前記バージの長手方向に互いに隣接して配置された一連のタンクを備えることを特徴とする請求項７に記載の廃水処理方法。
【請求項９】
前記バージから周囲の水に処理済み廃水を排出する工程をさらに含むことを特徴とする請求項８に記載の廃水処理方法。
【請求項１０】
前記処理済み廃水を周囲の水に排出する前、または、前処理添加材として使用する前に、前記処理済み廃水を後処理する工程をさらに含むことを特徴とする請求項９に記載の廃水処理方法。
【請求項１１】
前記処理済み廃水を後処理する工程は、放射エネルギー処理または化学消毒処理の適用を通じて行われることを特徴とする請求項１０に記載の廃水処理方法。
【請求項１２】
前記放射エネルギー処理は紫外線放射を使用し、前記化学消毒処理は塩素を使用することを特徴とする請求項１１に記載の廃水処理方法。
【請求項１３】
処理済廃水を保持する前処理添加材保持タンクと、
第１の時間間隔の間、流入廃水及び規定の量の処理済み廃水を混合することによって、前処理水を生成するように構成された第１の処理タンクと、
第２の時間間隔の間、固体媒体及び液体媒体の分離を引き起こすように調剤された選択的な化学添加剤を前記前処理水に導入することにより、分離された水を生成するように構成された第２の処理タンクと、
固体媒体を前記分離された水から実質的に除去することにより、処理済み廃水を生成するように構成されたスラッジフィルタと、を含むことを特徴とする廃水処理システム。
【請求項１４】
前記選択的な化学添加剤は、前記固体媒体の凝固または浮遊を促進することによって、固体媒体及び液体媒体の分離を引き起こすことを特徴とする請求項１３に記載の廃水処理システム。
【請求項１５】
第３の時間間隔の間、気泡浮上分離法によって前記分離された水をさらに処理するように構成された第３の処理タンクをさらに備えることを特徴とする請求項１３に記載の廃水処理システム。
【請求項１６】
前記規定の量の処理済み廃水は、前記第１の処理タンクの前記混合内容物の５から１０容量パーセントであることを特徴とする請求項１３に記載の廃水処理システム。
【請求項１７】
前記第２または第３の処理タンクから回収された浮遊スラッジから処理済み廃水を抽出するように構成された脱水装置をさらに備えることを特徴とする請求項１３に記載の廃水処理システム。
【請求項１８】
前記規定の量の処理済み廃水は前記脱水装置からの処理済み廃水を含むことを特徴とする請求項１７に記載の廃水処理システム。
【請求項１９】
前記流入廃水が外洋航行船の貯蔵タンクからポンプでくみ上げられ、前記水処理工程が浮遊式バージで実施されることを特徴とする請求項１３に記載の廃水処理システム。
【請求項２０】
第１の時間間隔の間、流入廃水及び規定の量の処理済み廃水を混合して、前処理水を生成する工程と、
第２の時間間隔の間、固体媒体及び液体媒体を分離させるように調剤された選択的な化学添加物を前記前処理水に添加して、分離された水を生成する工程と、
残った固体媒体を前記分離された水からスラッジフィルタで除去して、処理済み廃水を生成する工程とを含むことを特徴とする廃水処理工程。
【請求項２１】
前記スラッジフィルタで固体媒体を除去する前に、気泡浮上分離法で前記分離された水を処理する工程をさらに含むことを特徴とする請求項２０に記載の廃水処理工程。
【請求項２２】
前記規定の量の処理済み廃水は、前記スラッジフィルタから取得された処理済み廃水を含むことを特徴とする請求項２０に記載の廃水処理工程。
【請求項２３】
前記規定の量の処理済み廃水は、流入廃水及び処理済み廃水を混合した量の５から１０パーセントの範囲であることを特徴とする請求項２０に記載の廃水処理工程。
【請求項２４】
前記前処理水が第１のタンクで生成され、前記分離された水が第２のタンクで生成されることを特徴とする請求項２０に記載の廃水処理工程。
【請求項２５】
前記第１及び第２のタンクが浮遊式バージであり、前記流入廃水が外洋航行船からポンプでくみ上げられることを特徴とする請求項２０に記載の廃水処理工程。
【発明の詳細な説明】
【技術分野】
【０００１】
本発明の技術分野は、例えば生下水、産業廃棄物又は他の廃棄物の副生成物及びそれらの組合せのような廃水を処理するための方法及び装置に関する。
【図面の簡単な説明】
【０００２】
添付図面では以下が示されている。
【０００３】
【図１】図１は、浮遊式バージの形態の例示の廃水処理システムの部分的な切断側面図である。
【０００４】
【図２】図２は、図１の廃水処理システムのバージによる実施形態の上面図である。
【０００５】
【図３】図３は、本発明に従った廃水処理工程を描いたフロー図である。
【発明の概要】
【０００６】
本発明は、添付図面及び／又は写真を参照することにより、以下でより完全に説明される。その中で、１又は複数の本発明の例示的実施形態が示される。ただし、本発明は多数の異なる形体で具現化されてもよく、ここに示される実施形態に限定されると理解されるべきではない。むしろ、この発明が作動可能であり、役に立ち、及び完結できるように、これらの実施形態が提供されている。したがって、開示されている特定の構成は一例に過ぎないことを意味しており、本発明の特許請求の範囲を限定するものではない。さらに、適合、変更、改修、及び類似の構成といった多くの実施形態は、ここに記載される実施形態によって非明示的に開示されるものであり、本発明の特許請求の範囲内に含まれる。
【０００７】
ここでは特定の用語が使用されているが、それらは一般的及び記述的な意味で使用されるに過ぎず、限定を目的としていない。別段の明示がない限り、かかる用語は、関連産業において適切な用語に反しない、及び、以下で説明されるどの特定の実施形態にも限定されない、広範な通常かつ慣習的な意味が与えられることが意図されている。ここで使用されているように、冠詞「ａ」は１又は複数の物品を含むことを意図している。１のみの物品を意図している場合、用語「１つの」「単一の」又は同様の用語が使用される。ここで、物品のリストに加えるために使用される場合、用語「又は」は少なくとも１の物品を指すが、複数の物品のリストを排除するものではない。
【０００８】
本発明の例示的な方法及び工程に関して、ここで説明される工程の順序及び／又は構成は事例的であり、限定的ではない。したがって、順序だてた状態で、又は一時的な構成として、様々な工程又は方法のステップが示され、及び説明されているが、かかる工程又は方法のいずれのステップも、別段の明示がない限り、特定の順序又は構成で実施されるように限定されない。実際のところ、かかる工程又は方法のステップが本発明の特許請求の範囲内に含まれているが、一般的には様々な異なる順序及び構成で実施されてもよい。
【０００９】
さらに、本発明の優位性、利益、予期しない結果、又は操作性の参照はいずれも、本発明が実施のために事前に削減された、又は試験が実施されたことを肯定することを意図していない。同様に、別段の明示がない限り、過去形の動詞（現在完了形又は過去形）の使用は、本発明が実施のために事前に削減された、又は試験が実施されたことを示す又は暗示することを意図していない。
【発明を実施するための形態】
【００１０】
図１及び図２を参照すると、例示の廃水処理システムが、全般に参照番号１０で示されている。システムは一連の処理及び汚水保持タンク、ポンプ、フィルタ及び処理工程で発生した様々な液体及び固体媒体を扱うための他の特殊な装置を含む。図１及び図２で描かれた実施形態において、処理システム１０及び一連のタンク１から９が、浮遊式バージ（艀、ｂａｒｇｅ）１２に組み込まれ、これらは外洋航行船の廃棄物貯蔵タンクからポンプでくみ上げられる廃水を処理するのに特に適している。ただし、廃水処理システムは、バージ又は海上船の実施形態に限定されず、廃水処理システムは、例えば産業用又はコミュニティ用水処理施設のような様々な陸上を基礎とする応用を含んでもよいことは理解されるべきである。
【００１１】
引き続き図１及び図２の実施形態を参照すると、第１の処理タンク６は、それぞれ矢印１５及び１７で示されているように、流入廃水と前処理添加材を混合することによって、前処理された水を生成するように構成されている。流入廃水は、生下水、産業廃棄物もしくは他の廃棄物、又は、それらの組合せといった様々な有機含有廃液を含みうる。流入廃水は、例えば上記の船舶廃棄物貯蔵タンクのような下水源から、注入パイプ１９を通って棒状スクリーン２０を通過し、第１の処理タンク６へ直接ポンプでくみ上げられてもよい。棒状スクリーン２０は、大型の汚染物質又は異物を除去するように構成され、流入廃水源と第１の処理タンクとの間のどこに配置されてもよい。
【００１２】
流入廃水とともに所定量の前処理添加材１７も導入され、流入廃水と混合される。前処理添加材１７は、以下により詳細に説明されるが、処理システム１０に含まれる液体生成物のような廃水処理工程の処理済み液体産出物（又は「廃液」）を含む。ある実施形態では、所定の量の前処理添加材は、タンク６の混合内容物の５から１０パーセントの範囲であり、より具体的な実施形態では、約７パーセントである。第１の処理タンクが満たされると、混合内容物はタンク内に保持され、任意で、前処理水を生成するために選択された所定の第１の時間間隔で撹拌又は掻き混ぜによって混合される。例えば、華氏約５０℃の均一な流入温度での生下水の適切な前処理のための第１の時間間隔は、約４５分であってもよい。
【００１３】
第１の時間間隔の最後に、前処理水は、第１の処理タンク６から、例えば導管２３を通って第２の処理タンク７に向かって移動するか、又は、ポンプでくみ上げられる。第２の処理タンクは、前処理水に選択的な化学添加剤２５を導入することによって、分離された水（ｓｅｐａｒａｔｅｄ  ｗａｔｅｒ）を生成するように構成されている。特有の化学添加剤２５は、固体媒体及び液体媒体の分離を促進するように特異的に調剤される。また、化学添加剤２５は、廃水処理工程で一般に使用される様々な既知の凝固剤及び凝集剤のいずれかであってもよい。化学的に処理された内容物は、第２の処理タンク７に保持され、また、選択的に、固体及び液体媒体の適切な分離を行うように選択された所定の第２の時間間隔で撹拌又は掻き混ぜられる。例えば、適切な第２の時間間隔は約４５分であってもよい。
【００１４】
第２の時間間隔の後、分離された水が、第２の処理タンク７から導管２７を通ってスラッジフィルタ１４にポンプでくみ上げられる。処理システムのバージの実施形態において、スラッジフィルタ１４は、図１で全般的に示唆されているように、ユーティリティハウジング構成１３の内部に、ポンプ、コンプレッサなどの他のシステムの機械部品と共に配置されてもよい。スラッジフィルタ１４は、溶液にまだ含まれている又は第２の処理タンクで分離及び除去されなかった固体媒体を除去するように構成された任意の適切な多孔質膜であってもよい。フィルタ１４で収集されたスラッジは、定期的にスラッジタンク８に移動されてもよい。
【００１５】
選択的には、一定の条件下において、又は、一定の要件に合致するように、第２の処理タンク７の分離された水は、スラッジフィルタ１４に進む前にさらなる処理を受けてもよい。図１を参照すると、第２の時間間隔の後、分離された水はタンク７から導管２９を通って（破線で示される）第３の処理タンク５へとポンプでくみ上げられてもよい。タンク５では、分離された水は、化学処理工程の後で水中にまだ残っている固体媒体を分離及び浮遊させるように、所定の第３の時間間隔の間、気泡浮上分離法（「ＤＡＦ」）によって処理される。第３の時間間隔の最後に、分離された液体がタンク５から導管３１を通ってスラッジフィルタ１４へとポンプでくみ上げられる。
【００１６】
スラッジフィルタを出る水は、前処理添加材１７としてすぐに使用可能な処理済み廃液である。図示されているバージの実施形態では、処理済み廃液は、スラッジフィルタから導管３３を通って、廃液保持タンク１，２、３、４及び９のうちの１又は複数のタンクへとポンプでくみ上げられる。処理済み廃水は、導管３３を通って周囲の水に排出される前、又は、タンク６の前処理添加材として使用するために回収される前に、必要に応じてこれらタンクに数日間もしくは数週間、保持されてもよい。処理済み廃水の重力による送り（フィード）を利便的に可能にするように、１又は複数の廃液保持タンクがバージ１２のデッキ上に配置されてもよい。例えば、処理済み廃水は第１の処理タンク６を前処理添加材１７で調合する目的で、タンク９から導管３５を通って重力によって送られてもよい。
【００１７】
いくつかの又はすべての廃液保持タンクは、廃水の後処理を実施するための装置を組み込んでもよい。保持タンク内の廃水は、濁度及び水面積負荷などのよく知られた指標を使用して、水中の汚染物質レベルを計測及び判断するために定期的に試験されてもよい。計測された汚染物質は、必要に応じて、例えば業界が定めた限界値又は地域基準と比較されてもよい。かかる試験が過度な汚染物質を示した場合、排出又は廃棄される前に、水を消毒するための適切な後処理が保持タンク内で行われてもよい。処理済み廃水の後処理は、保持タンク３及び４で、図２に示される紫外線（「ＵＶ」）放射源３５のような放射エネルギー処置方法の適用を介してもよく、又は、塩素処置のような化学消毒工程を介してもよい。
【００１８】
追加的な前処理添加材１７が、上記の処理工程の特定の固体媒体副生成物から得られてもよい。化学処理工程によって生成された凝固固体媒体、及び、使用時にＤＡＦ工程によって生成された浮遊固体媒体が、処理タンク７及び５の上部から（上澄｛うわず｝みとして）すくい取られてもよい。収集されたスラッジは、次に、例えば、スラッジに存在する液体の大部分を抽出するように、従来のスラッジプレスを使用して脱水工程にかけられる。抽出された液体は、処理済み廃水の別の源（ソース）を含み、このように、第１の処理タンク内の前処理添加材１７として使用されてもよい。バージの実施形態では、脱水工程からのこの処理済み廃液は、廃水保持タンク３、４又は９からタンク６に供給される前処理添加材を補うように、第１の処理タンクに直接ポンプでくみ上げられてもよい。脱水工程で残ったスラッジは、既知の脱水工程を用いてさらに処理され、最終的な廃棄場所に保存されてもよい。
【００１９】
本発明に従った例示の廃水処理工程が、図３に図示されている。本工程は、棒状スクリーン及び流量計を通過する流入廃水をポンプでくみ上げ（工程１０１）、前処理のためにタンク６に流す工程で開始される。所定の量の前処理添加材１７が追加され、タンク６の混合内容物が混合され、第１の時間間隔で維持される（工程１０２）。前処理された添加剤は、完全な又は脱水工程からの抽出液体と混合された、タンク３、４又は９からの処理済み廃水である（工程１０６）。ある例示の実施形態では、前処理添加材の量は、タンク６の内容量の約７パーセントである。
【００２０】
第１の時間間隔が完了した後、タンク６内の液体内容物（浮遊固体媒体を除く）は、タンク７に移動され、そこには、固体媒体の凝固又は凝集を介して内容物の分離を促進するように調剤された化学添加剤が添加される。混合内容物は、所望の量の分離を生成することに十分な第３の時間間隔で、タンク７に維持されるか、任意で循環される（工程１０３）。
【００２１】
第３の時間間隔後、分離された水がタンク７から抽出され、スラッジフィルタを通過し（工程１０４）、処理済み廃水を排出し、まだ水中に残っている固体媒体を捕捉する。処理済み廃水は、廃液保存タンクに移動される（工程１０７）。ここで、処理済み廃水は前処理添加材として使用可能である。一方で捕捉されたスラッジは保存及び廃棄のためにタンク８に移動される。
【００２２】
代替的に、タンク７から分離された水は、フィルタの工程より前に、気泡浮上分離法（ＤＡＦ）によってさらに分離するためのタンク５に移動されてもよい。保持タンク１から４に保存された処理済み廃水は、排出される（工程１１０）前に後処理（工程１０９）されてもよく、又は、前処理添加材として使用されてもよい。
【００２３】
工程１０３及び１０５の分離工程によって浮遊される固体媒体は、タンク５及び７からすくい取られて、既知の加圧技術を使用して脱水される（工程１０６）。脱水により抽出された液体は、タンク９から得られた処理済み廃水添加剤を補う前処理添加材としてタンク６において使用されてもよい。加圧されたスラッジは、加熱乾燥によってさらに脱水され、及び／又は、保管もしくは廃棄のためにタンク８に移動されてもよい。
【００２４】
新しい前処理添加材を介した、実質的に改善された安定性及び処理時間の新しい廃水処理工程が説明された。本発明を説明及び定義することを目的として、「実質的に」、「一般的に」、「約」などの相対的用語の使用は、定量比較、値、計測、又は他の表示に起因しうる、不確実性の固有の程度を表すために、ここでは使用されている。これらの用語は、それによって定量的表示が問題となっている対象事項の基本的機能に変更を及ぼすことなく、記載されている基準から変更しうる程度を表すために使用される。
【００２５】
本発明の例示の実施形態が先に述べられている。本記載で使用されているどの要素、行為又は指示も、格段に明示されない限り、重要、必須、重大、又は本質的と解釈されるべきではない。いくつかの例示的実施形態のみが詳述されているが、当業者は、本発明の新しい教示及び有利性から著しく乖離することなく、これらの例示の実施形態に多数の改修を行うことが可能であることを容易に理解するであろう。したがって、すべてのかかる改修は、添付する請求項で定められた本発明の特許発明の範囲内に含まれると意図される。
【００２６】
請求項において、いずれのミーンズ・プラス・ファンクション節も、引用される機能、及び、構造的均等物のみならず、均等構造を実施するものとしてここに説明される構造を網羅することを意図している。したがって、釘とねじに関して、釘は木製部品を共に固定するための筒状表面を使用し、一方でねじは螺旋状表面を使用する点で構造的均等物ではないかもしれないが、木製部品を固定する環境においては、釘とねじは均等構造であってもよい。（特定の機能又は工程を実施するための）「手段（ｍｅａｎｓ  ｆｏｒ）」という用語が請求項に使用されていなければ、§１１２、第６パラグラフの解釈は意図されていないものとする。さらに、本発明に与えられる特許保護の範囲は、請求項において明確に出現していない限定を請求項に読み込むことによって定められることを意図していない。
【図１】
2020516438.tif 000003
【図２】
2020516438.tif 000004
【図３】
2020516438.tif 000005
【国際調査報告】
2020516438.tif 000006